(57)【要約】      （修正有）【課題】第1のタイプの製品を受容する第1の区画室と、第2のタイプの製品を受容する第2の区画室とを有するカートンを提供すること。【解決手段】上パネル１２、第１の底パネル１６、第１の側壁パネル１４、および第２の側壁パネル１８は、少なくとも1つの第1の品物を受容するための第１の区画室０１を形成し、上パネル、第２の側壁パネル、第３の側壁パネル、および第２の底パネルは、少なくとも1つの第２の品物を受容するための第２の区画室０２を形成し、上パネルは、上パネルの側縁から突出する舌部を備え、舌部は、第２の区画室の上パネルを形成し、一対の離間した固定タブは、舌部が一対の離間した固定タブの間で突出することができるように構成され、第２の側壁パネルが第１の区画室を第２の区画室から分割するように、上パネルを第２の側壁パネルに固定する、カートン。【選択図】図５
2015054694.tif 000002
【特許請求の範囲】
【請求項１】
一対の品物受容区画室を有するカートンを形成するためのブランクであって、前記ブランクは、上パネル、第1の底パネル、第1の側壁パネル、第2の側壁パネル、第3の側壁パネル、および第2の底パネルを含む複数のパネルを備え、
前記上パネル、前記第1の底パネル、前記第1の側壁パネル、および前記第2の側壁パネルは、少なくとも1つの第1の品物を受容するための第1の区画室を形成し、
前記上パネル、前記第2の側壁パネル、前記第3の側壁パネル、および前記第2の底パネルは、少なくとも1つの第2の品物を受容するための第2の区画室を形成し、
前記上パネル、前記第1の底パネル、前記第1の側壁パネル、および前記第2の側壁パネルは、直線状にひと続きに次々とヒンジ状に繋げられ、
前記第3の側壁パネルおよび前記第2の底パネルは、前記上パネルにヒンジ状に繋げられ、
前記上パネルは、前記上パネルの側縁から突出する舌部を備え、前記舌部は、組立状態において前記第2の区画室の上パネルを形成し、
前記上パネルと前記第2の側壁パネルとのうちの一方のパネルは、その一方のパネルにヒンジ状に繋げられる一対の離間した固定タブを備え、前記一対の離間した固定タブは、前記舌部が前記一対の離間した固定タブの間で突出することができるように構成されている、ブランク。
【請求項２】
前記上パネルは、前記一対の離間した固定タブによって前記第2の側壁パネルに固定可能である、請求項1に記載のブランク。
【請求項３】
前記一対の離間した固定タブは、前記上パネルにその側縁に沿ってヒンジ状に繋げられ、前記上パネルは、前記第2の区画室のそれぞれの端を少なくとも部分的に閉じるための一対の端閉鎖パネルを備え、前記一対の端閉鎖パネルのうちの第1の端閉鎖パネルは前記舌部の第1の端縁にヒンジ状に繋げられ、前記一対の端閉鎖パネルのうちの第2の端閉鎖パネルは前記舌部の第2の端縁にヒンジ状に繋げられる、請求項1に記載のブランク。
【請求項４】
前記一対の離間した固定タブのうちの第1の離間した固定タブは、前記一対の端閉鎖パネルのうちの前記第1の端閉鎖パネルから打ち抜かれ、前記一対の離間した固定タブのうちの第2の離間した固定タブは、前記一対の端閉鎖パネルのうちの前記第2の端閉鎖パネルから打ち抜かれる、請求項3に記載のブランク。
【請求項５】
前記一対の離間した固定タブのうちの第1の離間した固定タブは、前記一対の端閉鎖パネルのうちの前記第1の端閉鎖パネルから、第1の切断線によって分離され、前記一対の離間した固定タブのうちの第2の離間した固定タブは、前記一対の端閉鎖パネルのうちの前記第2の端閉鎖パネルから、第2の切断線によって分離される、請求項3に記載のブランク。
【請求項６】
前記一対の端閉鎖パネルのうちの前記第1の端閉鎖パネルは、前記一対の離間した固定タブのうちの第1の離間した固定タブと形が相補的であり、前記一対の端閉鎖パネルのうちの前記第2の端閉鎖パネルは、前記一対の離間した固定タブのうちの第2の離間した固定タブと形が相補的である、請求項3に記載のブランク。
【請求項７】
前記第1の区画室の第1の端を閉じるための複数の端閉鎖パネルと、前記複数の端閉鎖パネルを連結するための複数のウェブパネルとを備える、請求項1に記載のブランク。
【請求項８】
前記複数の端閉鎖パネルのうちの1つが、前記複数のウェブパネルのうちの1つによって前記一対の固定タブのうちの第1の固定タブに連結される、請求項1に記載のブランク。
【請求項９】
前記第1の区画室の第2の端を閉じるための複数の第2の端閉鎖パネルと、前記複数の第2の端閉鎖パネルを連結するための複数の第2のウェブパネルとを備える、請求項1に記載のブランク。
【請求項１０】
前記複数の第2の端閉鎖パネルのうちの1つが、前記複数の第2のウェブパネルのうちの1つによって前記一対の固定タブのうちの第2の固定タブに連結される、請求項1に記載のブランク。
【請求項１１】
複数の品物を梱包するためのカートンであって、前記カートンは、一対の品物受容区画室を有し、前記カートンは、上パネル、第1の底パネル、第1の側壁パネル、第2の側壁パネル、第3の側壁パネル、および第2の底パネルを含む複数のパネルを備え、
前記上パネル、前記第1の底パネル、前記第1の側壁パネル、および前記第2の側壁パネルは、少なくとも1つの第1の品物を受容するための第1の区画室を形成し、
前記上パネル、前記第2の側壁パネル、前記第3の側壁パネル、および前記第2の底パネルは、少なくとも1つの第2の品物を受容するための第2の区画室を形成し、
前記上パネルは、前記上パネルの側縁から突出する舌部を備え、前記舌部は、前記第2の区画室の上パネルを形成し、
前記上パネルと前記第2の側壁パネルとのうちの一方のパネルは、一対の離間した固定タブを備え、前記一対の離間した固定タブは、前記舌部が前記一対の離間した固定タブの間で突出することができるように構成され、前記一対の離間した固定タブは、前記第2の側壁パネルが前記第1の区画室を前記第2の区画室から分割するように、前記上パネルを前記第2の側壁パネルに固定する、
カートン。
【請求項１２】
カートンと、少なくとも1つの第1の品物と、少なくとも1つの第2の品物とを含むパッケージであって、前記カートンが、一対の品物受容区画室を有し、前記カートンが、上パネル、第1の底パネル、第1の側壁パネル、第2の側壁パネル、第3の側壁パネル、および第2の底パネルを含む複数のパネルを備え、
前記上パネル、前記第1の底パネル、前記第1の側壁パネル、および前記第2の側壁パネルは第1の区画室を形成し、少なくとも1つの第1の品物は前記第1の区画室内に配置され、
前記上パネル、前記第2の側壁パネル、前記第3の側壁パネル、および前記第2の底パネルは第2の区画室を形成し、少なくとも1つの第2の品物は前記第2の区画室内に配置され、
前記上パネルは、前記上パネルの側縁から突出する舌部を備え、前記舌部は、前記第2の区画室の上パネルを形成し、
前記上パネルと前記第2の側壁パネルとのうちの一方のパネルは、一対の離間した固定タブを備え、前記一対の離間した固定タブは、前記舌部が前記一対の離間した固定タブの間で突出することができるように構成され、前記一対の離間した固定タブは、前記第2の側壁パネルが前記第1の区画室を前記第2の区画室から分割し、前記少なくとも1つの第1の品物を前記少なくとも第2の品物から分離するように、前記上パネルを前記第2の側壁パネルに固定する、
パッケージ。
【発明の詳細な説明】
【技術分野】
【０００１】
本発明は、カートン、および、カートンを形成するためのブランクに関し、より詳細には、ただし限定されるものではないが、第1の製品を受容するための第1の容積部と第2の製品を受容するための第2の容積部とを有するカートンに関する。
【背景技術】
【０００２】
梱包の分野では、消費者に複数の一次製品容器を含むパッケージを提供することがしばしば必要とされる。このように、複数の包装は、配送および流通にとって望ましく、また、宣伝情報の表示にとっても望ましい。コストおよび環境上の懸念に関しては、このようなカートンまたは運搬物は、できるだけ少ない材料から形成される必要があり、形成される材料の廃棄をできるだけ少なくする必要がある。別の懸念は、梱包の強度であり、また、その強度が品物の大きな重量を支えて運送するのに適しているかである。
【発明の概要】
【発明が解決しようとする課題】
【０００３】
第1のタイプの製品を受容する第1の区画室と、限定されることはないが第1の製品を補完する製品の宣伝品または無料サンプルといった、第2のタイプの製品を受容する第2の区画室とを有するカートンを提供することが望まれている。
【０００４】
本発明は、先行技術の問題を克服または少なくとも軽減しようとするものである。
【課題を解決するための手段】
【０００５】
本発明の第1の態様によれば、一対の品物受容区画室を有するカートンを形成するためのブランクであって、前記ブランクは、上パネル、第1の底パネル、第1の側壁パネル、第2の側壁パネル、第3の側壁パネル、および第2の底パネルを含む複数のパネルを備え、
前記上パネル、前記第1の底パネル、前記第1の側壁パネル、および前記第2の側壁パネルは、少なくとも1つの第1の品物を受容するための第1の区画室を形成し、
前記上パネル、前記第2の側壁パネル、前記第3の側壁パネル、および前記第2の底パネルは、少なくとも1つの第2の品物を受容するための第2の区画室を形成し、
前記上パネル、前記第1の底パネル、前記第1の側壁パネル、および前記第2の側壁パネルは、直線状にひと続きに次々とヒンジ状に繋げられ、
前記第3の側壁パネルおよび前記第2の底パネルは、前記上パネルにヒンジ状に繋げられ、
前記上パネルは、前記上パネルの側縁から突出する舌部を備え、前記舌部は、組立状態において前記第2の区画室の上パネルを形成し、
前記上パネルと前記第2の側壁パネルとのうちの一方のパネルは、その一方のパネルにヒンジ状に繋げられる一対の離間した固定タブを備え、前記一対の離間した固定タブは、前記舌部が前記一対の離間した固定タブの間で突出することができるように構成されている、ブランクが提供される。
【０００６】
好ましくは、上パネルは、一対の離間した固定タブによって第2の側壁パネルに固定可能である。
【０００７】
好ましくは、一対の離間した固定タブは上パネルにその側縁に沿ってヒンジ状に繋げられ、上パネルは、第2の区画室のそれぞれの端を少なくとも部分的に閉じるための一対の端閉鎖パネルを備え、一対の端閉鎖パネルのうちの第1の端閉鎖パネルは舌部の第1の端縁にヒンジ状に繋げられ、一対の端閉鎖パネルのうちの第2の端閉鎖パネルは舌部の第2の端縁にヒンジ状に繋げられる。
【０００８】
ある実施形態では、一対の離間した固定タブのうちの第1の離間した固定タブは、一対の端閉鎖パネルのうちの第1の端閉鎖パネルから打ち抜かれ、一対の離間した固定タブのうちの第2の離間した固定タブは、一対の端閉鎖パネルのうちの第2の端閉鎖パネルから打ち抜かれる。
【０００９】
代替で、一対の離間した固定タブのうちの第1の離間した固定タブは、一対の端閉鎖パネルのうちの第1の端閉鎖パネルから、第1の切断線によって分離され、一対の離間した固定タブのうちの第2の離間した固定タブは、一対の端閉鎖パネルのうちの第2の端閉鎖パネルから、第2の切断線によって分離される。
【００１０】
好ましくは、一対の端閉鎖パネルのうちの第1の端閉鎖パネルは、一対の離間した固定タブのうちの第1の離間した固定タブと形が相補的であり、一対の端閉鎖パネルのうちの第2の端閉鎖パネルは、一対の離間した固定タブのうちの第2の離間した固定タブと形が相補的である。
【００１１】
ある実施形態では、ブランクは、第1の区画室の第1の端を閉じるための複数の端閉鎖パネルと、複数の端閉鎖パネルを連結するための複数のウェブパネルとを備える。
【００１２】
好ましくは、前記複数の端閉鎖パネルのうちの1つが、前記複数のウェブパネルのうちの1つによって一対の固定タブのうちの第1の固定タブに連結される。
【００１３】
ある実施形態では、ブランクは、第1の区画室の第2の端を閉じるための複数の第2の端閉鎖パネルと、複数の第2の端閉鎖パネルを連結するための複数の第2のウェブパネルとを備える。
【００１４】
好ましくは、前記複数の第2の端閉鎖パネルのうちの1つが、前記複数の第2のウェブパネルのうちの1つによって一対の固定タブのうちの第2の固定タブに連結される。
【００１５】
本発明の第2の態様によれば、複数の品物を梱包するためのカートンであって、前記カートンは、一対の品物受容区画室を有し、前記カートンは、上パネル、第1の底パネル、第1の側壁パネル、第2の側壁パネル、第3の側壁パネル、および第2の底パネルを含む複数のパネルを備え、
前記上パネル、前記第1の底パネル、前記第1の側壁パネル、および前記第2の側壁パネルは、少なくとも1つの第1の品物を受容するための第1の区画室を形成し、
前記上パネル、前記第2の側壁パネル、前記第3の側壁パネル、および前記第2の底パネルは、少なくとも1つの第2の品物を受容するための第2の区画室を形成し、
前記上パネルは、前記上パネルの側縁から突出する舌部を備え、前記舌部は、前記第2の区画室の上パネルを形成し、
前記上パネルと前記第2の側壁パネルとのうちの一方のパネルは、一対の離間した固定タブを備え、前記一対の離間した固定タブは、前記舌部が前記一対の離間した固定タブの間で突出することができるように構成され、前記一対の離間した固定タブは、前記第2の側壁パネルが前記第1の区画室を前記第2の区画室から分割するように、前記上パネルを前記第2の側壁パネルに固定する、
カートンが提供される。
【００１６】
本発明の第3の態様によれば、カートンと、少なくとも1つの第1の品物と、少なくとも1つの第2の品物とを含むパッケージであって、前記カートンが、一対の品物受容区画室を有し、前記カートンが、上パネル、第1の底パネル、第1の側壁パネル、第2の側壁パネル、第3の側壁パネル、および第2の底パネルを含む複数のパネルを備え、
前記上パネル、前記第1の底パネル、前記第1の側壁パネル、および前記第2の側壁パネルは第1の区画室を形成し、少なくとも1つの第1の品物は前記第1の区画室内に配置され、
前記上パネル、前記第2の側壁パネル、前記第3の側壁パネル、および前記第2の底パネルは第2の区画室を形成し、少なくとも1つの第2の品物は前記第2の区画室内に配置され、
前記上パネルは、前記上パネルの側縁から突出する舌部を備え、前記舌部は、前記第2の区画室の上パネルを形成し、
前記上パネルと前記第2の側壁パネルとのうちの一方のパネルは、一対の離間した固定タブを備え、前記一対の離間した固定タブは、前記舌部が前記一対の離間した固定タブの間で突出することができるように構成され、前記一対の離間した固定タブは、前記第2の側壁パネルが前記第1の区画室を前記第2の区画室から分割し、前記少なくとも1つの第1の品物を前記少なくとも第2の品物から分離するように、前記上パネルを前記第2の側壁パネルに固定する、
パッケージが提供される。
【００１７】
本出願の範囲内において、先の段落、特許請求の範囲、ならびに/または、以下の説明および図面で述べられた様々な態様、実施形態、例、特徴、および代替は、個別に行われてもよいし、または、それらの組合せで行われてもよい。たとえば、ある実施形態に関連して説明された特徴は、特徴が両立しないことがない限り、すべての実施形態に適用可能である。
【００１８】
本発明の例示の実施形態は、本明細書では、添付の図面を参照して説明される。
【図面の簡単な説明】
【００１９】
【図１】第1の実施形態によるカートンを形成するためのブランクの上方からの平面図である。
【図２】図1のブランクの組立の段階における上方からの平面図である。
【図３】図1のブランクの組立の次の段階における上方からの平面図である。
【図４】図1のブランクの組立の別の段階における上方からの平面図である。
【図５】図1のブランクから形成されたカートン、および、そのカートンの第1の区画室に積み込まれた一群の品物の上方からの斜視図である。
【図６】図1のブランクから形成されたカートンの、その第1の区画室の端が閉じられている状態での上方からの斜視図である。
【図７】図1のブランクから形成されたカートンの上方からの斜視図であり、そのカートンの第2の区画室に積み込まれた第2の品物を示している図である。
【図８】図1のブランクから形成されたカートンの、その第2の区画室の端が閉じられている状態での上方からの斜視図である。
【図９】第2の実施形態によるカートンを形成するためのブランクの上方からの平面図である。
【図１０】図9のブランクから形成されたカートンの上方からの斜視図である。
【発明を実施するための形態】
【００２０】
パッケージ、ブランク、およびカートンの具体的な実施形態の詳細な説明が、本明細書で開示されている。開示された実施形態は、本発明の特定の態様が実施できる方法の単なる例であり、本発明が具現化され得る方法のすべての包括的な一覧を示すものではないことが理解されよう。本明細書で用いられるように、「例示」という用語は、図示、見本、模型、またはひな型として供する実施形態を参照するために、拡大して用いられている。実際、本明細書で説明されるパッケージ、ブランク、およびカートンは、様々な形態および代替の形態で具現化され得ることが理解されよう。図は必ずしも縮尺通りではなく、一部の特徴は、具体的な構成要素の詳細を示すために誇張され得るし、または、最小限とされ得る。公知の構成要素、材料、または方法は、本開示を不明瞭とすることを回避するために、必ずしも詳細には説明されていない。本明細書で開示された任意の具体的な構造的および機能的な詳細は、限定するものとして解釈されることはなく、特許請求の範囲のための原理として、および、当業者に本発明を多様に採用することを教示するための代表的な原理として、単に解釈される。
【００２１】
図1は、以降において品物Aで参照される缶などの一次製品のための、図8に示すようなカートン90を形成できるブランク10の平面図を示している。なお、一次製品は、缶に限定されることはない。
【００２２】
本明細書で説明される実施形態では、「カートン」および「運搬物」という用語は、本発明の様々な特徴を解説するという非限定的な目的のために、製品容器など、品物を手配、運搬、および/または販売するための容器を称している。本発明の教示は、先細形および/または円筒形とされてもされなくてもよい様々な製品容器に適用できることが考慮されている。例示の容器には、ボトル(たとえば、金属、ガラス、またはプラスチックのボトル)、缶(たとえば、アルミニウム缶)、ブリキ缶、パウチ、小袋などが含まれる。
【００２３】
ブランクは、適切な基材のシートから形成される。本明細書で用いられるように、「適切な基材」という用語には、板紙、段ボール、厚紙、プラスチック、これらの組合せなど、すべての様式の折ることができるシート状材料が含まれていることが理解されよう。1つまたは他の数のブランクが、適切であれば、たとえば以下でより詳細に説明されている運搬物構造を提供するために、採用され得ることを理解されたい。
【００２４】
例示の実施形態では、ブランクは、例示の配置の例示の品物を梱包するためのカートンまたは運搬物を形成するように構成されている。図示した実施形態では、配置は、12個の缶の3×4の行列または配列である。他の例示の実施形態では、他の配置が採用され得る。ブランクは、代替で、他の種類、数、および大きさの品物を梱包するための運搬物、および/または、異なる配置もしくは構成で品物を梱包するための運搬物を形成するように構成できる。
【００２５】
ブランク10は、直線状に連続してヒンジ状に一体に繋げられた複数の主パネル12、14、16、18、20、22を備えている。複数の主パネル12、14、16、18、20、22のうちの第1の群のパネル12、14、16、18は、組立状態において第1の区画室O1の開放した端とされた第1の管状構造を形成する。複数の主パネル12、14、16、18、20、22のうちの第2の群のパネル12、18、20、22は、組立状態において第2の区画室O2の開放した端とされた第2の管状構造を形成する。
【００２６】
ブランク10は、折目13によって第1の側パネル14にヒンジ状に繋げられた上パネル12を備えている。第1の側パネル14は、折目15によって第1の底パネル16にヒンジ状に繋げられている。第1の底パネル16は、折目17によって第2の側パネル18にヒンジ状に繋げられている。
【００２７】
上パネル12は、折目19によって第3の側パネル20にヒンジ状に繋げられている。第3の側パネル20は、折目21によって第2の底パネル22にヒンジ状に繋げられている。
【００２８】
第1の管状構造の各々の端は、端閉鎖パネルによって少なくとも部分的に閉じられる。図示した実施形態では、第1の管状構造の端は、端閉鎖パネル26a、28a、30a、32a、26b、28b、30b、32bによって完全に閉じられる。
【００２９】
端閉鎖パネル26a、28a、30a、32aは、第1の管状構造の第1の端を閉じるように構成されており、端閉鎖パネル26b、28b、30b、32bは、第1の管状構造の第2の端を閉じるように構成されている。
【００３０】
第1の端閉鎖パネル26aは、折目27aによって上パネル12の第1の端にヒンジ状に繋げられている。第2の端閉鎖パネル28aは、一対の折目29a、29bによって第1の側パネル14の第1の端にヒンジ状に繋げられている。一対の折目29a、29bは、それらの間に傾斜パネルまたは角パネルを定める。第3の端閉鎖パネル30aは、折目31aによって第1の底パネル16の第1の端にヒンジ状に繋げられている。第4の端閉鎖パネル32aは、一対の折目33a、33bによって第2の側パネル18の第1の端にヒンジ状に繋げられている。一対の折目33a、33bは、それらの間に傾斜パネルまたは角パネルを定める。
【００３１】
第5の端閉鎖パネル26bは、折目27bによって第1の上パネル12の第2の端にヒンジ状に繋げられている。第6の端閉鎖パネル28bは、一対の折目29c、29dによって第1の側パネル14の第2の端にヒンジ状に繋げられている。一対の折目29c、29dは、それらの間に傾斜パネルまたは角パネルを定める。第7の端閉鎖パネル30bは、折目31bによって第1の底パネル16の第2の端にヒンジ状に繋げられている。第8の端閉鎖パネル32bは、一対の折目33c、33dによって第2の側パネル18の第2の端にヒンジ状に繋げられている。一対の折目33c、33dは、それらの間に傾斜パネルまたは角パネルを定める。
【００３２】
第2の端閉鎖パネル28aおよび第4の端閉鎖パネル32aは、小さい方の端閉鎖パネルを各々形成している。第6の端閉鎖パネル28bおよび第8の端閉鎖パネル32bは、小さい方の端閉鎖パネルを形成している。
【００３３】
第1の端閉鎖パネル26aおよび第5の端閉鎖パネル26bは、大きい方の上側の端閉鎖パネルを各々形成している。第3の端閉鎖パネル30aおよび第7の端閉鎖パネル30bは、大きい方の下側の端閉鎖パネルを各々形成している。
【００３４】
第1の端閉鎖パネル26aは、第1のウェブパネル40aによって、第1の接着剤パネル11a/11bの形態の第1の固定タブに連結されている。第1の端閉鎖パネル26aは、折目41aによって第1のウェブパネル40aにヒンジ状に繋げられている。第1の接着剤パネル11a/11bは、折目9aによって第1のウェブパネル40aにヒンジ状に繋げられている。
【００３５】
第1の端閉鎖パネル26aは、第2のウェブパネル42aによって第2の端閉鎖パネル28aに連結されている。第1の端閉鎖パネル26aは、折目43aによって第2のウェブパネル42aにヒンジ状に繋げられている。第2の端閉鎖パネル28aは、折目45aによって第2のウェブパネル42aにヒンジ状に繋げられている。
【００３６】
第2の端閉鎖パネル28aは、第3のウェブパネル44aによって第3の端閉鎖パネル30aに連結されている。第2の端閉鎖パネル28aは、折目47aによって第3のウェブパネル44aにヒンジ状に繋げられている。第3の端閉鎖パネル30aは、折目49aによって第3のウェブパネル44aにヒンジ状に繋げられている。
【００３７】
第3の端閉鎖パネル30aは、第4のウェブパネル46aによって第4の端閉鎖パネル32aに連結されている。第3の端閉鎖パネル30aは、折目51aによって第4のウェブパネル46aにヒンジ状に繋げられている。第4の端閉鎖パネル32aは、折目53aによって第4のウェブパネル46aにヒンジ状に繋げられている。
【００３８】
第5の端閉鎖パネル26bは、第5のウェブパネル40bによって、第2の接着剤パネル11c/11dの形態の第2の固定タブに連結されている。第5の端閉鎖パネル26bは、折目41bによって第5のウェブパネル40bにヒンジ状に繋げられている。第2の接着剤パネル11c/11dは、折目9dによって第5のウェブパネル40bにヒンジ状に繋げられている。
【００３９】
第5の端閉鎖パネル26bは、第6のウェブパネル42bによって第6の端閉鎖パネル28bに連結されている。第5の端閉鎖パネル26bは、折目43bによって第6のウェブパネル42bにヒンジ状に繋げられている。第6の端閉鎖パネル28bは、折目45bによって第6のウェブパネル42bにヒンジ状に繋げられている。
【００４０】
第6の端閉鎖パネル28bは、第7のウェブパネル44bによって第7の端閉鎖パネル30bに連結されている。第6の端閉鎖パネル28bは、折目47bによって第7のウェブパネル44bにヒンジ状に繋げられている。第7の端閉鎖パネル30bは、折目49bによって第7のウェブパネル44bにヒンジ状に繋げられている。
【００４１】
第7の端閉鎖パネル30bは、第8のウェブパネル46bによって第8の端閉鎖パネル32bに連結されている。第7の端閉鎖パネル30bは、折目51bによって第8のウェブパネル46bにヒンジ状に繋げられている。第8の端閉鎖パネル32bは、折目53bによって第8のウェブパネル46bにヒンジ状に繋げられている。
【００４２】
第1の接着剤パネル11a/11bは、折目9aによって第1のウェブパネル40aにヒンジ状に繋げられた第1の部分11aを備えている。第1の接着剤パネル11a/11bは、折目9bによって上パネル12にヒンジ状に繋げられた第2の部分11bを備えている。第1の接着剤パネル11a/11bは、第1の部分11aを第2の部分11bに連結する一対の折目を備えている。一対の折目は、互いから離間されており、それらの間に傾斜部または角部を定めている。
【００４３】
第2の接着剤パネル11c/11dは、折目9dによって第5のウェブパネル40bにヒンジ状に繋げられた第1の部分11dを備えている。第2の接着剤パネル11c/11dは、折目9cによって上パネル12にヒンジ状に繋げられた第2の部分11cを備えている。第2の接着剤パネル11c/11dは、第1の部分11dを第2の部分11cに連結する一対の折目を備えている。一対の折目は、互いから離間されており、それらの間に傾斜部または角部を定めている。
【００４４】
上パネル12は、その第1の側縁に舌部または突出部50を備え、第3の側パネル20は、折目19によって舌部または突出部50にヒンジ状に繋げられている。舌部または突出部50は、上パネル12の第1の側縁に沿って中央に配置されている。舌部または突出部50は、第1の接着剤パネル11a/11bと第2の接着剤パネル11c/11dとの間に延在している。第1の接着剤パネル11a/11bおよび第2の接着剤パネル11c/11dは、舌部または突出部50の両側に配置されている。
【００４５】
第2の管状構造の各々の端は、端閉鎖パネルによって少なくとも部分的に閉じられる。図示した実施形態では、第2の管状構造の端は、端閉鎖パネル20a、20b、20c、20d、22a、22b、22c、22dによって完全に閉じられる。
【００４６】
端閉鎖パネル20a、20b、22a、22cは、第2の管状構造の第1の端を閉じるように構成されており、端閉鎖パネル20c、20d、22b、22dは、第2の管状構造の第2の端を閉じるように構成されている。
【００４７】
第9の端閉鎖パネル20bは、折目25bによって第3の側パネル20の第1の端にヒンジ状に繋げられている。第10の端閉鎖パネル20cは、折目25cによって第3の側パネル20の第2の端にヒンジ状に繋げられている。第11の端閉鎖パネル22aは、折目23aによって第2の底パネル22の第1の端にヒンジ状に繋げられている。第12の端閉鎖パネル22cは、折目23cによって上パネル12の舌部または突出部50の第1の端にヒンジ状に繋げられている。第13の端閉鎖パネル22bは、折目23bによって第2の底パネル22の第2の端にヒンジ状に繋げられている。第14の端閉鎖パネル22dは、折目23dによって上パネル12の舌部または突出部50の第2の端にヒンジ状に繋げられている。
【００４８】
第1の固定フラップ20aが、第9の端閉鎖パネル20bの第1の端縁に沿って、第9の端閉鎖パネル20bにヒンジ状に繋げられている。第1の端縁は第2の端縁と向かい合っており、その第2の端縁に沿って、第9の端閉鎖パネル20bは、折目25bによって第3の側パネル20にヒンジ状に繋げられている。第1の固定フラップ20aは、折目25aによって第9の端閉鎖パネル20bにヒンジ状に繋げられている。
【００４９】
第2の固定フラップ20dが、第10の端閉鎖パネル20cの第1の端縁に沿って、第10の端閉鎖パネル20cにヒンジ状に繋げられている。第1の端縁は第2の端縁と向かい合っており、その第2の端縁に沿って、第10の端閉鎖パネル20cは、折目25cによって第3の側パネル20にヒンジ状に繋げられている。第2の固定フラップ20dは、折目25dによって第10の端閉鎖パネル20cにヒンジ状に繋げられている。
【００５０】
第12の端閉鎖パネル22cは、第1の接着剤パネル11a/11bと形が相補的であり、第14の端閉鎖パネル22dは、第2の接着剤パネル11c/11dと形が相補的である。第12の端閉鎖パネル22cは、切り取り線によって第1の接着剤パネル11a/11bから分離されている。第14の端閉鎖パネル22dは、切り取り線によって第2の接着剤パネル11c/11dから分離されている。
【００５１】
図2〜図8に図示するように、カートン90の構造を見ると、カートン90は、一連の折る作業によって形成できる。折る過程は、以下に説明する過程に限定されず、具体的な製造上の要件に応じて変更できる。
【００５２】
ブランク10は、第2の側パネル18と第1の底パネル16とが折目15の周りで折られるように、折目15の周りで折られる。図2に示すように、第2の側パネル18は上パネル12と接触関係にさせられ、第1の底パネル16は第1の側パネル14および上パネル12の一部と接触関係にさせられる。第2の側パネル18の自由な側縁は、折目9b、9cと実質的に一列とさせられる。第4の端閉鎖パネル32aの自由な側縁は、折目9aと実質的に一列とさせられる。第8の端閉鎖パネル32bの自由な側縁は、折目9dと実質的に一列とさせられる。
【００５３】
接着剤Gまたは他の接着処理が、第1の底パネル16に適用されるか、または、代替の実施形態では、第2の底パネル22の重複部分24である対応する部分に適用される。
【００５４】
接着剤Gまたは他の接着処理は、第2の側パネル18に適用されるか、または、代替の実施形態では、第1の接着剤パネル11a/11bおよび第2の接着剤パネル11c/11dの第2の部分11b、11cにそれぞれ適用される。
【００５５】
接着剤Gまたは他の接着処理は、第4の端閉鎖パネル32aに適用されるか、または、代替の実施形態では、第1の接着剤パネル11a/11bの第1の部分11aに適用される。
【００５６】
接着剤Gまたは他の接着処理は、第8の端閉鎖パネル32bに適用されるか、または、代替の実施形態では、第2の接着剤パネル11c/11dの第1の部分11dに適用される。
【００５７】
第1の接着剤パネル11a/11bは、第1の部分11aが第4の端閉鎖パネル32aに被さり、第2の部分11bが第2の側パネル18に被さるように、折目9a、9bの周りに折られる。第1の部分11aは第4の端閉鎖パネル32aに固定される。第2の部分11bは、図3に示すように、第2の側パネル18に固定される。
【００５８】
第2の接着剤パネル11c/11dは、第1の部分11dが第8の端閉鎖パネル32bに被さり、第2の部分11cが第2の側パネル18に被さるように、折目9c、9dの周りに折られる。第1の部分11dは第8の端閉鎖パネル32bに固定される。第2の部分11cは、図3に示すように、第2の側パネル18に固定される。
【００５９】
ブランク10は、第3の側パネル20と第2の底パネル22とが折目19の周りで折られるように、折目19の周りで折られる。第2の底パネル22の一部は、第1の底パネル16と面接触関係にさせられ、第1の底パネル16と一部重なり合う関係で固定される。第3の側パネル20は、図4に示すように、第2の側パネル18および上パネル12の一部と面接触関係にさせられる。
【００６０】
したがって、ブランク10は、変形工場へ容易に配送または流通させることができる平らに折り畳まれた管状構造に形成され、その変形工場において、平らに折り畳まれた管状構造は直立させられ、品物が積み込まれる。
【００６１】
平らに折り畳まれた管状構造は、第1の側パネル14が第1の底パネル16に対して実質的に直角に配置されるように、第1の側パネル14を第1の底パネル16に対して展開することによって、図5に示すような一対の区画室を形成するように直立させることができる。
【００６２】
図5は、ブランク10が第1の区画室O1と第2の区画室O2とに形成されていることを示している。第1の区画室O1および第2の区画室O2は、各々、開放した端とされた管状構造となっている。第1の区画室O1には、本実施形態では飲料缶である品物Aが、開放した端を通して積み込まれている。
【００６３】
カートン90は、その開放した端とされた管状の形態において、第1の区画室O1の一方または両方の開放した端を通して品物Aが積み込まれ得る。他の実施形態では、カートン90の第1の区画室O1の開放した端の一方が、カートン90の第1の区画室O1に残っている方の開放した端を通して品物Aを積み込む前に、閉じられてもよいことが理解されよう。
【００６４】
第1の区画室O1に品物Aが積み込まれると、第1の区画室O1の開放した端が閉じられる。第1の区画室O1の各々の開放した端を閉じる方法は、実施的に同じであり、第1の開放した端を閉じることを参照することによって説明される。
【００６５】
管状構造の第1の端は、第2の端閉鎖パネル28aを折目29a、29bの周りに折り、第4の端閉鎖パネル32aを折目33a、33bの周りに折ることで閉じられる。
【００６６】
接着剤Gまたは他の接着処理は、第2の端閉鎖パネル28aに適用されてもよく、または、代替の実施形態では、第3の端閉鎖パネル30aの対応する部分に適用されてもよい。
【００６７】
接着剤Gまたは他の接着処理は、第4の端閉鎖パネル32aに適用されてもよく、または、代替の実施形態では、第3の端閉鎖パネル30aの対応する部分に適用されてもよい。
【００６８】
接着剤Gまたは他の接着処理は、第1の端閉鎖パネル26aに適用されてもよく、または、代替の実施形態では、第3の端閉鎖パネル30aの対応する部分に適用されてもよい。
【００６９】
次いで、第1の端閉鎖パネル26aは、折目27aの周りに折られて、第2の端閉鎖パネル28aおよび第4の端閉鎖パネル32aと接触させられる。
【００７０】
次いで、第3の端閉鎖パネル30aは、折目31aの周りに折られて、第2の端閉鎖パネル28a、第4の端閉鎖パネル32a、および第1の端閉鎖パネル26aと接触させられる。
【００７１】
第3の端閉鎖パネル30aは第1の端閉鎖パネル26aに固定される。
【００７２】
代替の実施形態では、第3の端閉鎖パネル30aは、第1の端閉鎖パネル26aを折目27aの周りで折る前に、折目31aの周りに折られ得る。このような実施形態では、第1の端閉鎖パネル26aは最も外側に配置されることが理解されよう。
【００７３】
第1の端閉鎖パネル26aおよび第3の端閉鎖パネル30aが、第1のウェブパネル40a、第2のウェブパネル42a、第3のウェブパネル44a、および第4のウェブパネル46aによって、第2の端閉鎖パネル28aおよび第4の端閉鎖パネル32aに連結されるため、第1の端閉鎖パネル26aおよび第3の端閉鎖パネル30aは、第2の端閉鎖パネル28aおよび第4の端閉鎖パネル32aを折ることに応じて自動的に折られる。
【００７４】
平らに折り畳まれた管状構造を直立した形態へと立てる過程は、手作業で行われてもよいし、または、梱包機械で自動的に行われて実施されてもよい。
【００７５】
カートン90の第1の区画室O1に品物Aを積み込む過程は、手作業で行われてもよいし、または、梱包機械で自動的に行われて実施されてもよい。
【００７６】
品物Aを有するカートン90の第1の区画室O1の開放した端を閉じる過程は、手作業で行われてもよいし、または、梱包機械で自動的に行われて実施されてもよい。図6は、第1の区画室O1の端が閉じられた状態での、品物Aが積み込まれたカートン90を示している。
【００７７】
図7は、第2の区画室O2の開放した端O2を通して、第2の区画室O2に第2の品物A2を積み込むところを示している。第2の品物A2を第2の区画室O2に積み込む前に、第2の区画室O2の他方の端は、端閉鎖パネル20c、20d、22b、22dを折ることによって閉じられている。
【００７８】
第13の端閉鎖パネル22bは折目23bの周りに折られている。第14の端閉鎖パネル22dは折目23dの周りに折られている。第10の端閉鎖パネル20cは折目25cの周りに折られている。第2の固定フラップ20dは折目25dの周りに折られている。第2の固定フラップ20dは、第2の固定フラップ20dの上端が第14の端閉鎖パネル22dと係合し、第2の固定フラップ20dの下端が第13の端閉鎖パネル22bと係合するように、第2の区画室O2に押し込まれるかまたは挿入される。第2の固定フラップ20dは、その上端および下端に切り取り線を備え得る。切り取り線は、折目25dの近傍に配置され、第2の固定パネル20dが第13の端閉鎖パネル22bおよび第14の端閉鎖パネル22dとそれぞれ係合するのを容易にしている。
【００７９】
第2の区画室O2に第2の品物A2が積み込まれると、第2の区画室O2の残っている方の開放した端が閉じられる。
【００８０】
第11の端閉鎖パネル22aは折目23aの周りに折られている。第12の端閉鎖パネル22cは折目23cの周りに折られている。第9の端閉鎖パネル20bは折目25bの周りに折られている。第1の固定フラップ20aは折目25aの周りに折られている。第1の固定フラップ20aは、第1の固定フラップ20aの上端が第12の端閉鎖パネル22cと係合し、第1の固定フラップ20aの下端が第9の端閉鎖パネル22aと係合するように、第2の区画室O2に押し込まれるかまたは挿入される。第1の固定フラップ20aは、その上端および下端に切り取り線を備え得る。切り取り線は、折目25aの近傍に配置され、第1の固定パネル20aが第11の端閉鎖パネル22aおよび第12の端閉鎖パネル22cとそれぞれ係合するのを容易にしている。
【００８１】
完成したカートン90が図8に示されている。カートン90は、品物A、A2を受容するための2つの分離した区画室を備えている。第1の区画室O1および第2の区画室O2は、共通の側壁である第2の側パネル18を共有している。上パネル12は、第1の区画室O1と第2の区画室O2との両方の上壁を形成している。上パネル12の舌部または突出部50は、第2の区画室O2の上壁を形成している。第1の接着剤パネル11a/11bおよび第2の接着剤パネル11c/11dは、第2の側パネル18を上端の位置で固定する。上パネル12の舌部または突出部50は、第1の接着剤パネル11a/11bおよび第2の接着剤パネル11c/11dに干渉し、カートン90を単一のブランク10から形成することができる。
【００８２】
カートンは、第1の区画室O1へ出入りするために、図8に示すアクセス手段Aを備えている。アクセス手段Aは、開封帯またはジッパZ1、Z2の形態をとっている。開封帯またはジッパZ1、Z2は、一対の平行な離間された弱くした切断線を備えている。開封帯またはジッパZ1、Z2は、第3の端閉鎖パネル30aおよび第7の端閉鎖パネル30bにわたってそれぞれ延在している。開封帯またはジッパZ1、Z2は、第3の端閉鎖パネル30aおよび第7の端閉鎖パネル30bのそれぞれにわたって、第1の側縁から第2の側縁へ延在している。アクセス手段Aは、第1の切断線C1および第2の切断線C2も備えている。第1の切断線C1および第2の切断線C2は、各々、開封帯またはジッパZ1、Z2から第3の端閉鎖パネル30aまたは第7の端閉鎖パネル30bの自由端縁へそれぞれ延在している。開封帯またはジッパZ1、Z2の除去は、底パネル16にヒンジ状に繋げられた第3の端閉鎖パネル30aまたは第7の端閉鎖パネル30bの下方部を、第1の端閉鎖パネル26aおよび第5の端閉鎖パネル26bのそれぞれに付着または固定された上方部から切断する。
【００８３】
第1の切断線C1を破ることにより、第3の端閉鎖パネル30aの上方部の第1の端部を、第3の端閉鎖パネル30aの上方部の中央部から切断する。第2の切断線C2を破ることにより、第3の端閉鎖パネル30aの上方部の第2の端部を、第3の端閉鎖パネル30aの上方部の中央部から切断する。
【００８４】
第3の端閉鎖パネル30aの上方部の中央部は第1の端閉鎖パネル26aに付着または固定されている。第3の端閉鎖パネル30aの上方部の第1の端部および第2の端部は、第2の端閉鎖パネル28aおよび第4の端閉鎖パネル32aのうちの一方に付着または固定されている。
【００８５】
ここで図9および図10を参照すると、本発明の代替の実施形態が示されている。第2の図示した実施形態では、可能であれば、同じ符号が同じ部分を示すために使われているが、それらの特徴部が第2の実施形態に属することを示すために、接頭文字「100」が付け加えられている。代替の実施形態は、第1の実施形態と多くの共通する特徴を共有しており、そのため、図1〜図8に示した実施形態と異なる点だけがさらに詳細に説明される。
【００８６】
図9は、第2の図示の実施形態による、図10に示すようなカートン190を形成するためのブランク110を示している。
【００８７】
ブランク110は、直線状に連続してヒンジ状に一体に繋げられた複数の主パネル112、114、116、118、120、122を備えている。複数の主パネル112、114、116、118、120、122のうちの第1の群のパネル112、114、116、118は、組立状態において第1の区画室の開放した端とされた第1の管状構造を形成する。複数の主パネル112、114、116、118、120、122のうちの第2の群のパネル112、118、120、122は、組立状態において第2の区画室の開放した端とされた第2の管状構造を形成する。
【００８８】
ブランク110は、折目113によって第1の側パネル114にヒンジ状に繋げられた上パネル112を備えている。第1の側パネル114は、折目115によって第1の底パネル116にヒンジ状に繋げられている。第1の底パネル116は、折目117によって第2の側パネル118にヒンジ状に繋げられている。
【００８９】
上パネル112は、折目119によって第3の側パネル120にヒンジ状に繋げられている。第3の側パネル120は、折目121によって第2の底パネル122にヒンジ状に繋げられている。
【００９０】
第1の管状構造の各々の端は、端閉鎖パネルによって少なくとも部分的に閉じられる。図示した実施形態では、第1の管状構造の端は、端閉鎖パネル126a、128a、130a、132a、126b、128b、130b、132bによって完全に閉じられる。
【００９１】
端閉鎖パネル126a、128a、130a、132aは、第1の管状構造の第1の端を閉じるように構成されており、端閉鎖パネル126b、128b、130b、132bは、第1の管状構造の第2の端を閉じるように構成されている。
【００９２】
第1の端閉鎖パネル126aは、折目127aによって上パネル112の第1の端にヒンジ状に繋げられている。第2の端閉鎖パネル128aは、一対の折目129a、129bによって第1の側パネル114の第1の端にヒンジ状に繋げられている。一対の折目129a、129bは、それらの間に傾斜パネルまたは角パネルを定める。第3の端閉鎖パネル130aは、折目131aによって第1の底パネル116の第1の端にヒンジ状に繋げられている。第4の端閉鎖パネル132aは、一対の折目133a、133bによって第2の側パネル118の第1の端にヒンジ状に繋げられている。一対の折目133a、133bは、それらの間に傾斜パネルまたは角パネルを定める。
【００９３】
第5の端閉鎖パネル126bは、折目127bによって第1の上パネル112の第2の端にヒンジ状に繋げられている。第6の端閉鎖パネル128bは、一対の折目129c、129dによって第1の側パネル114の第2の端にヒンジ状に繋げられている。一対の折目129c、129dは、それらの間に傾斜パネルまたは角パネルを定める。第7の端閉鎖パネル130bは、折目131bによって第1の底パネル116の第2の端にヒンジ状に繋げられている。第8の端閉鎖パネル132bは、一対の折目133c、133dによって第2の側パネル118の第2の端にヒンジ状に繋げられている。一対の折目133c、133dは、それらの間に傾斜パネルまたは角パネルを定める。
【００９４】
ブランク10は把持構造Hを備えている。把持構造Hは、第1の区画室を形成するブランクの一部に設けられている。把持構造Hは、切断線によって一部定められている一対の細長のタブを備えている。切断線は、第1の側壁パネル114を横断して延びており、第1の底パネル116および上パネル112の各々へ延び入っている。第1の細長タブは、第1の折目によって一部定めされており、第1の折目は、切断線と離間した平行な関係になっている。第2の細長タブは、第2の折目によって一部定めされており、第2の折目は、切断線と離間した平行な関係になっている。第1および第2の折目は、切断線の両側に配置されている。第1の弓形の切り取り線が、第1および第2の細長タブの各々の第1の端を定めている。第1の弓形の切り取り線は、第1の折目の第1の端と第2の折目の第1の端との間で、切断線を横切って延びている。第2の弓形の切り取り線が、第1および第2の細長タブの各々の第2の端を定めている。第2の弓形の切り取り線は、第1の折目の第2の端と第2の折目の第2の端との間で、切断線を横切って延びている。
【００９５】
把持構造Hは、弱くした切断線の第1の端に一対の折目または折り畳み線を備えている。切断線の第1の端は、第1の底パネル116に配置されており、「V」形の切り取り線で途切れており、その「V」形とされた切り取り線の各々の延出部分は交点を形成し、その交点は切断線の第1の端に配置されている。
【００９６】
第1の折り畳み線は、「V」形の切り取り線の第1の端から始まって、第1の底パネル116と第1の側パネル114との間の折目115の方へ向かう。第2の折り畳み線は、「V」形の切り取り線の第2の端から始まって、第1の底パネル116と第1の側壁パネル114との間の折目115の方へ向かう。「V」形の切り取り線とともに、第1および第2の折り畳み線は、切断線の第1の端で集束する「V」形を形成している。
【００９７】
把持構造Hは、弱くした切断線の第2の端に第2の一対の折目または折り畳み線を備えている。切断線の第2の端は、上パネル112に配置されており、「V」形の切り取り線で途切れており、その「V」形とされた切り取り線の各々の延出部分は交点を形成し、その交点は切断線の第2の端に配置されている。
【００９８】
第3の折り畳み線は、「V」形の切り取り線の第1の端から始まって、上パネル112と第1の側パネル114との間の折目113の方へ向かう。第4の折り畳み線は、「V」形の切り取り線の第2の端から始まって、上パネル112と第1の側パネル114との間の折目113の方へ向かう。「V」形の切り取り線とともに、第3および第4の折り畳み線は、切断線の第2の端で集束する「V」形を形成している。
【００９９】
第1の端閉鎖パネル126aおよび第3の端閉鎖パネル130aは、第1の固定構造F1、F2、M1、M2を備えている。第5の端閉鎖パネル126bおよび第7の端閉鎖パネル130bは、第2の固定構造F3、F4、M3、M4を備えている。第1の固定構造は、第2の固定構造と実質的に同じであり、第2の固定構造を参照することによって説明される。
【０１００】
第5の端閉鎖パネル126bは、図10に示すように、一対の相補式固定機構Lの第1の部分F3、F4を備えている。
【０１０１】
第7の端閉鎖パネル130bは、図10に示すように、一対の相補式固定機構Lの第2の部分M3、M4を備えている。
【０１０２】
各々の相補式固定機構Lの各々の第1の部分F3、F4は、開口およびタブを備えている。各々のタブは、第5の端閉鎖パネル126bにその上方縁に沿ってヒンジ状に繋げられている。各々のタブは、形が実質的に半円形であり、開口内へ突出する湾曲した下方縁を備えている。開口の上端は、先細とされ、タブに向かって集束している。開口の先細とされた上端は、一対の相補式固定機構Lの一方の第2の部分M3、M4のうちの1つとそれぞれと係合する一対の肩部を定めている。開口は、一対の相補式固定機構Lの一方の第2の部分M3、M4のうちの1つとそれぞれと係合するための、第5の端閉鎖パネル126bの係合縁を定める下方端を備えている。
【０１０３】
各々の相補式固定機構Lの各々の第2の部分M3、M4は、第7の端閉鎖パネル130bの上端にヒンジ状に接続されたフラップから形成されている。各々の第2の部分M3、M4は、フラップの自由端縁から延び出す第1の突出部を備えている。各々の第2の部分M3、M4は、フラップのヒンジ状に繋げられた端縁から延び出すとともに、第7の端閉鎖パネル130bから打ち抜かれる第2の突出部を備えている。第2の突出部は、フラップと第7の端閉鎖パネル130bの上端との間のヒンジ接続に干渉する。各々の相補式固定機構Lの各々の第2の部分M3、M4は、第1の突出部内から第2の突出部内へ縦方向に延びる折目を備えている。図示した実施形態では、折目は、同一線上の一対の切り取り線によって定められている。しかしながら、他の実施形態では、他の折り構造が採用される。
【０１０４】
各々の相補式固定機構Lの各々の第2の部分M3、M4は、フラップと第7の端閉鎖パネル130bの上端との間のヒンジ接続の周りに折ることによって、第7の端閉鎖パネル130bに対して旋回させて動かすことができる。
【０１０５】
ブランク110は、第1の実施形態に関して先に説明したのと同様の方法で、平らに折り畳まれた管状構造に構成される。平らに折り畳まれた管状構造は、第1の区画室と第2の区画室とを有する管状の形態へと直立される。第1の区画室は、第1の区画室の開放した端部の一方または両方を介して、品物が積み込まれる。第1の管状構造の端は、端閉鎖パネル126a、128a、130a、132a、126b、128b、130b、132bを折ることで閉じられる。第1の端閉鎖パネル126aは、各々の相補式固定機構Lの第2の部分M1、M2を各々の相補式固定機構Lの第1の部分F1、F2と係合することで、第2の端閉鎖パネル130aに固定される。第5の端閉鎖パネル126bは、各々の相補式固定機構Lの第2の部分M3、M4を各々の相補式固定機構Lの第1の部分F3、F4と係合することで、第7の端閉鎖パネル130bに固定される。
【０１０６】
図10は、閉じた状態におけるカートン190の第1の区画室の第2の端を示している。第5の端閉鎖パネル126bは、第6の端閉鎖パネル128bおよび第8の端閉鎖パネル132bが各々の対のそれぞれの折目129c/129d、133c/133dの周りに折られると、折目127bの周りに折られる。次いで、第7の端閉鎖パネル130bは折られて、一部重なり合う関係で第5の端閉鎖パネル126bに被さる。第2の部分M3の第1の突出部および第2の突出部は、第1の部分F3のそれぞれの開口を通るように押し込まれて、第1の相補式固定機構Lを形成する。第2の部分M4の第1の突出部および第2の突出部は、第1の部分F4のそれぞれの開口を通るように押し込まれて、図10に示すように、第2の相補式固定機構Lを形成する。
【０１０７】
この方法では、第2の部分M3、M4の上端および下端は、カートン190の内部で固定され、第5の端閉鎖パネル126bの内面と係合する。
【０１０８】
カートン190の第1の区画室の第1の端は、第2の端に関して先に説明したのと同じ方法によって閉じられる。
【０１０９】
第1の区画室に積み込まれて両端が閉じられると、次に、第2の区画室の第1の端が閉じられる。第2の区画室は、残っている方の開放した端を通じて第2の品物が積み込まれ、次いで、残っている方の開放した端が、図1〜図8の第1の実施形態との関連で先に説明した方法と同様の方式で閉じられる。
【０１１０】
図10は、ブランク110から形成された完成したカートン190を示している。
【０１１１】
様々な変更が本発明の範囲内で行われ得ることが理解できる。たとえば、パネルや開口の大きさや形状は、異なる大きさまたは形状の品物を収容するために調節され得る。
【０１１２】
前述の実施形態では、第1の接着剤パネル11a/11b、111a/111bおよび第2の接着剤パネル11c/11d、111c/111dは、上パネル12、112へ離間した関係で、ヒンジ状に接続されている。他の実施形態では、第1の接着剤パネル11a/11b、111a/111bおよび第2の接着剤パネル11c/11d、111c/111dは、舌部または突出部50、150が第1の接着剤パネル11a/11b、111a/111bと第2の接着剤パネル11c/11d、111c/111dとの間の隙間または空間の間を通過するように、第2のパネル18、118へ離間した関係で、ヒンジ状に接続される。
【０１１３】
ある実施形態では、ウェブパネル40a、40b、42a、42b、44a、44b、46a、46b、140a、140b、142a、142b、144a、144b、146a、146bは省略され得る。このような実施形態では、第1の接着剤パネル11a/11bの第1の部分11aおよび第2の接着剤パネル11c/11dの第1の部分11dも省略され得る。
【０１１４】
本明細書で用いられる、「上」、「底」、「前」、「後」、「端」、「側」、「内側」、「外側」「上方」、および「下方」などの方向への言及は、それぞれのパネルをそのような配向に必ずしも限定することはなく、単にこれらのパネルをお互いから区別するように供する。
【０１１５】
本明細書で用いられるように、「ヒンジ接続」および「折目」という用語は、ブランクのヒンジの特徴を定めるすべての様式の線のことを言い、ブランクの一部同士の互いに対する折りを容易にするか、または、ブランクの最適なパネルの折る位置を示している。折目は、典型的には、切り込みした線、浮き出された線、または型押しされた線である。「ヒンジ接続」または「折目」へのあらゆる言及は、必ずしも単一の折目のみに言及しているとして解釈されるべきではなく、実際、ヒンジ接続は、短いスリット、折れやすい線、または、本発明の範囲から逸脱することのない折目のうちの1つまたは複数のものから形成できる。
【０１１６】
本明細書で用いられるように、「切断線」という用語は、基材の位置の互いからの分離を容易にするか、または、最適な分離の位置を指し示すあらゆる様式の線のことを言う。切断線は、折れやすい、または、他の弱くした線、破れ線、切り取り線、またはスリットであり得る。
【０１１７】
ヒンジ接続、切断線、および折目には、各々、穿孔、一列の穿孔、一列の短いスリット、一列の半切り、単一の半切り、切り取り線、断続した切り取り線、スリット、切り込み、これらの任意の組合せなどが含まれる、ブランクの基材に形成された要素を含み得ることが理解されたい。要素は、所望の機能性を提供するような寸法および配置とされ得る。たとえば、一列の穿孔は、折目および/または切断線を定めるように弱くなる度合いとされた寸法または配置とされ得る。一列の穿孔は、折るのを容易にしつつ破れるのに耐えるように、折るのを容易にしつつより多くの労力で破れるのを容易にするように、または、ほとんど労力なしで破れるのを容易にするように、設計され得る。
【０１１８】
本明細書で用いられる「レジストリにある」という表現は、2つの重なり合うパネルのうちの第1のものに形成された開口、および、2つの重なり合うパネルのうちの第2のものに形成された第2の開口など、直立したカートンにおける2つ以上の要素の整列のことを言う。互いとレジストリにあるこれらの要素は、重なり合うパネルの厚さの方向において、互いと整列され得る。たとえば、第1のパネルの開口が、第1のパネルと重なり合う配置に置かれた第2のパネルの第2の開口と「レジストリにある」とき、開口の縁は、第2の開口の縁の少なくとも一部に沿って延びており、第1のパネルおよび第2のパネルの厚さの方向で、第2の開口と整列され得る。
【符号の説明】
【０１１９】
9a  折目
9b  折目
9c  折目
9d  折目
10  ブランク
11a  第1の接着剤、パネル第1の部分
11b  第1の接着剤、第2の部分
11c  第2の接着剤パネル、第2の部分
11d  第2の接着剤パネル、第1の部分
12  主パネル、上パネル
13  折目
14  主パネル、第1の側パネル
15  折目
16  主パネル、第1の底パネル
17  折目
18  主パネル、第2の側パネル
19  折目
20  主パネル、第3の側パネル
20a  端閉鎖パネル、第1の固定フラップ、第1の固定パネル
20b  第9の端閉鎖パネル
20c  第10の端閉鎖パネル
20d  端閉鎖パネル、第2の固定フラップ、第2の固定パネル
21  折目
22  主パネル、第2の底パネル
22a  第11の端閉鎖パネル
22b  第13の端閉鎖パネル
22c  第12の端閉鎖パネル
22d  第14の端閉鎖パネル
23a  折目
23b  折目
23c  折目
23d  折目
24  重複部分
25a  折目
25b  折目
25c  折目
26a  第1の端閉鎖パネル
26b  第5の端閉鎖パネル
27a  折目
27b  折目
28a  第2の端閉鎖パネル
28b  第6の端閉鎖パネル
29a  折目
29b  折目
29c  折目
29d  折目
30a  第3の端閉鎖パネル
30b  第7の端閉鎖パネル
31a  折目
31b  折目
32a  第4の端閉鎖パネル
32b  第8の端閉鎖パネル
33a  折目
33b  折目
33c  折目
33d  折目
40a  第1のウェブパネル
40b  第5のウェブパネル
41a  折目
41b  折目
42a  第2のウェブパネル
42b  第6のウェブパネル
43a  折目
43b  折目
44a  第3のウェブパネル
44b  第7のウェブパネル
45a  折目
45b  折目
46a  第4のウェブパネル
46b  第8のウェブパネル
47a  折目
47b  折目
49a  折目
49b  折目
50  舌部、突出部
51a  折目
51b  折目
53a  折目
53b  折目
90  カートン
110  ブランク
111a/111b  第1の接着剤パネル
111c/111d  第2の接着剤パネル
112  主パネル、上パネル
113  折目
114  主パネル、第1の側パネル
115  折目
116  主パネル、第1の底パネル
117  折目
118  主パネル、第2の側パネル
119  折目
120  主パネル、第3の側パネル
121  折目
122  主パネル、第2の底パネル
126a  第1の端閉鎖パネル
126b  第5の端閉鎖パネル
127a  折目
127b  折目
128a  第2の端閉鎖パネル
128b  第6の端閉鎖パネル
129a  折目
129b  折目
129c  折目
129d  折目
130a  第3の端閉鎖パネル
130b  第7の端閉鎖パネル
131a  折目
131b  折目
132a  第4の端閉鎖パネル
132b  第8の端閉鎖パネル
133a  折目
133b  折目
133c  折目
133d  折目
140a  ウェブパネル
140b  ウェブパネル
142a  ウェブパネル
142b  ウェブパネル
144a  ウェブパネル
144b  ウェブパネル
146a  ウェブパネル
146b  ウェブパネル
150  突出部
190  カートン
A  品物、缶
A2  第2の品物
C1  第1の切断線
C2  第2の切断線
F1  第1の固定構造
F2  第1の固定構造
F3  第2の固定構造、第1の部分
F4  第2の固定構造、第1の部分
G  接着剤
H  把持構造
L  相補式固定機構
M1  第1の固定構造
M2  第1の固定構造
M3  第2の固定構造、第2の部分
M4  第2の固定構造、第2の部分
O1  第1の区画
O2  第2の区画
Z1  開封帯またはジッパ
Z2  開封帯またはジッパ
【図１】
2015054694.tif 000003
【図２】
2015054694.tif 000004
【図３】
2015054694.tif 000005
【図４】
2015054694.tif 000006
【図５】
2015054694.tif 000007
【図６】
2015054694.tif 000008
【図７】
2015054694.tif 000009
【図８】
2015054694.tif 000010
【図９】
2015054694.tif 000011
【図１０】
2015054694.tif 000012
【外国語明細書】
2015054694000001.pdf